(57)【要約】      （修正有）【課題】カバープレートの内面側に塗布する防曇剤を塗布しやすいようにすることのできる計器装置を提供する。【解決手段】指示計器Ｄを計器ケース１内に収納し、この計器ケース１の前面側に透光性の樹脂材料からなるカバープレート５を設け、このカバープレート５の内壁面５Ａ側に防曇剤からなる防曇被膜Ｆを施してなる計器装置であって、前記防曇被膜Ｆが施される前記カバープレート５の内面側において、前記カバープレート５の肉厚寸法がカバープレート５の内面側に向けて厚くなるように設けられた突設部１５，３５と、この突設部１５，３５と前記カバープレート５の内面側との段差Ｈ１，Ｈ２をなだらかに繋ぐように設けられた境界面２５，４５と、を有することを特徴とする計器装置である。【選択図】図１
2008116379.tif 000002
【特許請求の範囲】
【請求項１】
指示計器を計器ケース内に収納し、この計器ケースの前面側に透光性の樹脂材料からなるカバープレートを設け、このカバープレートの内壁面側に防曇剤からなる防曇被膜を施してなる計器装置であって、前記防曇被膜が施される前記カバープレートの内面側にて、前記カバープレートの肉厚寸法がカバープレートの内面側に向けて厚くなるように設けられた突設部と、この突設部と前記カバープレートの内面側との段差をなだらかに繋ぐように設けられた境界面と、を有することを特徴とする計器装置。
【請求項２】
前記突設部の表面を凸レンズとして形成してなることを特徴とする請求項１に記載の計器装置。
【請求項３】
前記指示計器の表示領域に合わせて前記凸レンズの領域を設けてなることを特徴とする請求項２に記載の計器装置。
【請求項４】
前記突設部の中央に計器装置の外部と内部とを連通する孔部を設け、この孔部に弾力性部材からなる操作部材を水密に組み付け保持し、この操作部材と対向して押しボタンスイッチ部材を配設してなることを特徴とする請求項１に記載の計器装置。
【請求項５】
前記境界面は、傾斜面からなることを特徴とする請求項１から請求項４のいずれかに記載の計器装置。
【請求項６】
前記境界面は、凹面形状からなることを特徴とする請求項１から請求項４のいずれかに記載の計器装置。
【発明の詳細な説明】
【技術分野】
【０００１】
本発明は、建設機械などの特殊車両や船舶、あるいはオートバイなどの車両に搭載される計器装置に関するものである。
【背景技術】
【０００２】
従来、オートバイや建設機械などのように外部雰囲気中に搭載される計器装置にあっては、計器装置の外部と内部との温度差や湿度差などの要因にて計器ケースの前面側に配設される透光性の樹脂材料からなるカバープレートは、表面特にカバープレートの内面側が雰囲気中の露天以下の温度に置かれると雰囲気中の湿度が凝縮してカバープレートの内面側が結露することがある。この結露により発生する凝結による細かい水滴は、光を散乱してしまうことからカバープレートが見かけ上曇ってしまい、カバープレート越しに計器内部を視認しようとしても計器の表示状態が損なわれてしまうという問題があった。
【０００３】
このような結露による曇り現象を防止するために、たとえば下記特許文献１や特許文献２などが知られている。この際、防曇性を確保するために防曇剤をカバープレートの内面側に塗布などの手段によって被膜を施すようにしている。
【特許文献１】特開平０９−２３４５４４号公報
【特許文献２】特開平１０−２１２４７１号公報
【発明の開示】
【発明が解決しようとする課題】
【０００４】
ところで、上記特許文献１や特許文献２などにおいては、計器装置においてカバープレートの内面側に防曇剤を塗布する際、カバープレートの内面側が平坦的であると塗布する防曇被膜の膜厚を均一的に塗り込みやすいが、カバープレートの内面側に突部が存在すると、その突部とカバープレートの内面側の平面部分との段差により防曇剤を塗布して防曇被膜として塗り込む時に段差による隅部（エッジ部分）に防曇剤が溜まりやすく拭き取りに手間を要し、場合によっては隅部箇所に溜まった防曇剤の拭き取りが部分的にできず防曇被膜の膜厚が均一とならないために塗布ムラが生じてしまうことがあり、そのまま固まってしまうため防曇被膜の膜厚が厚く塗られた箇所が白濁化し、計器装置の前面側からカバープレートを覗き込むと見栄えが悪くなってしまい、外観上良好とはいえない。
【０００５】
すなわち、従来の計器装置においては、図６から図８に示すように、計器ケースａの前面側を覆うカバープレートｂの内面側に設けられる突部ｃとしては、たとえばカバープレートｂの外部側から操作することができるように突部ｃ位置に対応して孔部ｄを設け、この孔部ｄにたとえば弾力性部材からなる操作部材ｅを水密に組み付け保持し、この操作部材ｅと対向して押しボタンスイッチ部材ｆを配設してなる操作機構を組み付けた計器装置がある。図８（Ａ）のカバープレートｂにおいて、そのカバープレートｂの内面側に防曇剤を塗布する際に、図８（Ｂ）に示すように、突部ｃとカバープレートｂの内面側の平面部分ｇとの段差ｈによる隅部（エッジ部分）に防曇剤が溜まりやすく拭き取りに手間を要し、場合によっては隅部箇所に溜まった防曇剤の拭き取りが部分的にできず防曇被膜ｊの膜厚が均一とならないために塗布ムラが生じてしまうという問題がある。そして、塗布ムラが生じた状態にて防曇剤が固まってしまうと防曇被膜ｊの膜厚が部分的に厚く塗られた被膜箇所ｊ１が白濁化し、計器装置の前面側からカバープレートｂを覗き込むと白濁化した被膜箇所ｊ１が見えてしまい、外観上において問題がある。（図７および図８参照）
【０００６】
また、図示はしないが、計器ケースの前面側を覆うカバープレートの内面側に設けられる突部としては、カバープレートの内面側に設けた突部の表面部分を凸レンズ形状とし、指示計器の表示領域を拡大表示して見せるようにした計器装置であったり、たとえば乗り物自体の情報表示や各種機器の警告表示などを行うレンズ部としての突部としてカバープレートの内面側に一体的に設けているため、前述した突部構造と同様にして、その突部とカバープレートの内面側の平面部分とによる段差によって防曇剤の拭き取りが良好に行えないことがあり、これにより部分的に拭き取りができなかった箇所が防曇剤が溜まった状態にて固まってしまうために部分的に白濁化し、カバープレートの外面側からカバープレートを透視した際に、白濁化した箇所が見えてしまい、見栄えが悪くなってしまうという問題がある。このため、計器装置において、その前面側に設けられるカバープレートから直接内部側が透視されて判読される領域にあっては、細心の注意を払って防曇剤を塗布する必要があり、手間がかかるという問題がある。
【０００７】
本発明はこの点に着目してなされたもので、その目的としては、カバープレートの内面側に塗布する防曇剤を塗布しやすいようにすることのできる計器装置を提供することにある。
【課題を解決するための手段】
【０００８】
本発明は、前述した課題を解決するため、請求項１に記載のように、指示計器を計器ケース内に収納し、この計器ケースの前面側に透光性の樹脂材料からなるカバープレートを設け、このカバープレートの内壁面側に防曇剤からなる防曇被膜を施してなる計器装置であって、前記防曇被膜が施される前記カバープレートの内面側にて、前記カバープレートの肉厚寸法がカバープレートの内面側に向けて厚くなるように設けられた突設部と、この突設部と前記カバープレートの内面側との段差をなだらかに繋ぐように設けられた境界面と、を有することを特徴とする計器装置である。
【０００９】
このように構成することにより、カバープレートの内面側に設けられた突設部とカバープレートの内面側との段差をなだらかに繋ぐように設けられた境界面によって防曇剤からなる防曇被膜をほぼ一定の膜厚に塗布して塗り込むことができ、これにより塗布ムラを極力抑えることができ、しかも防曇剤の塗布作業時間を従来に比べて短縮することができるという効果もある。
【００１０】
また、請求項１に記載の計器装置において、請求項２では、前記突設部の表面を凸レンズとして形成してなることを特徴とするものである。
【００１１】
このように構成することにより、計器装置の前面側から見た際に拡大表示することができ、この場合、請求項３に記載されているように、前記指示計器の表示領域に合わせて前記凸レンズの領域を設けてなることによって指示計器の表示状態を部分的に拡大表示することができるという効果がある。
【００１２】
また、請求項１に記載の計器装置において、請求項４では、前記突設部の中央に計器装置の外部と内部とを連通する孔部を設け、この孔部に弾力性部材からなる操作部材を水密に組み付け保持し、この操作部材と対向して押しボタンスイッチ部材を配設してなることを特徴とする計器装置である。
【００１３】
このように構成することにより、計器装置の内部側と外部側とを水密に保ちながら操作部材によって表示状態の切り替えや表示状態の変更などの操作を行うことができるという効果がある。
【００１４】
また、請求項１から請求項４のいずれかに記載の計器装置において、請求項５では、前記境界面は、傾斜面からなることを特徴とするものである。
【００１５】
このように構成することにより、カバープレートの内面側に設けられた突設部とカバープレートの内面側との段差をなだらかに繋ぐように設けられた傾斜面からなる境界面によって防曇剤からなる防曇被膜をほぼ一定の膜厚に塗布して塗り込むことができるものであり、防曇剤の塗布作業時間を従来に比べて短縮することができるという効果もある。
【００１６】
また、請求項１から請求項４のいずれかに記載の計器装置において、請求項６では、
前記境界面は、凹面形状からなることを特徴とするものである。
【００１７】
このように構成することにより、カバープレートの内面側に設けられた突設部とカバープレートの内面側との段差をなだらかに繋ぐように設けられた凹面形状からなる境界面によって防曇剤からなる防曇被膜をほぼ一定の膜厚に塗布して塗り込むことができるものであり、防曇剤の塗布作業時間を従来に比べて短縮することができるという効果もある。
【発明の効果】
【００１８】
本発明では、指示計器を計器ケース内に収納し、この計器ケースの前面側に透光性の樹脂材料からなるカバープレートを設け、このカバープレートの内壁面側に防曇剤からなる防曇被膜を施してなる計器装置であって、前記防曇被膜が施される前記カバープレートの内面側にて、前記カバープレートの肉厚寸法がカバープレートの内面側に向けて厚くなるように設けられた突設部と、この突設部と前記カバープレートの内面側との段差をなだらかに繋ぐように設けられた境界面と、を有することを特徴とする計器装置であるため、防曇剤からなる防曇被膜をほぼ一定の膜厚に塗布して塗り込むことができ、これにより塗布ムラを極力抑えることができ、しかも防曇剤の塗布作業時間を従来に比べて短縮することができるものであり、初期の目的を達成することができる。
【発明を実施するための最良の形態】
【００１９】
以下、添付図面に基づいて、本発明を適用した計器装置の実施形態を説明する。
【００２０】
図１から図５は、本発明の第１の実施形態を示すもので、図１は計器装置の全体概要を示す断面図であり、図２は、図１の計器装置における操作機構の要部を示す拡大断面図であり、図３（Ａ）（Ｂ）は、図２のカバープレートにおいて防曇剤の塗布前と塗布後の要部を示した拡大断面図である。図４は図１における液晶表示パネルからなる指示計器側であるカバープレートの要部を主体に示す拡大断面図であり、図５（Ａ）（Ｂ）は、図４のカバープレートにおいて防曇剤の塗布前と防曇剤の塗布後の要部を示した拡大断面図である。
【００２１】
本実施形態による計器装置として、外部雰囲気に晒されるオートバイ用の計器装置を例にして説明する。オートバイ用の計器ケース１内には、回路基板が２が収納されるとともに、たとえば液晶表示パネル３からなる走行速度や回転数など走行状態を表示する指示計器Ｄや、燃料タンクの燃料量やラジエター内の水温などを表示する指示計器Ｄが収納され、前記回路基板２上に前記指示計器Ｄが組み付け固定されている。
【００２２】
また指示計器Ｄの表面側には液晶表示パネル３の表示領域に合わせて表示窓枠が４Ａが形成された見返し板４が配設され、その前面側には透光性の樹脂材料からなるカバープレート５が配設され、前記計器ケース１とカバープレート５によって計器ケース１内部の指示計器Ｄが水密に保たれるように収納固定されている。
【００２３】
また、液晶表示パネル３からなる指示計器Ｄにおいて、たとえば走行速度を表示する速度計に組み込まれている液晶表示パネル３によるトータル積算数値とトリップ積算数値の切り換え、あるいはトリップ積算数値のリセット操作、または時計の時刻修正などを可能にするための押しボタンスイッチ部材６が回路基板２上に実装されて前記計器ケース１内に配設されている。
【００２４】
また、押しボタンスイッチ部材６と対向して計器ケース１の前面側に配設される透光性の樹脂材料からなるカバープレート５の外部から押し圧操作可能となるようにカバープレート５に設けられた操作孔部７を介して水密状態を保つように弾性変形可能なたとえばゴム製の操作部材８が設けられ全体の操作機構を構成している。
【００２５】
この第１の実施形態では、計器ケース１の前面側に配設されるカバープレート５に設けられた操作孔部７箇所には、カバープレート５の内面側に向けて肉厚寸法となるように環状の周壁部からなる突設部１５が設けられ、この環状の周壁部からなる突設部１５の突出端面部分１５Ａとカバープレート５の内面側の内壁面５Ａとの段差Ｈ１を第１の境界面２５によってなだらかに繋ぐように設けている。この第１の境界面２５の形状としては、突設部１５の頂部からカバープレート５の内面側の内壁面５Ａへとなだらかに繋がるように傾斜面にて形成されている。（図１から図３を参照）
【００２６】
また、液晶表示パネル３からなる指示計器Ｄの表示領域に対応するカバープレート５の内面側には、指示計器Ｄの表示領域の形態にほぼ合わせて指示計器Ｄ側へと突出する突設部３５が設けられ、この突設部３５の突出端面部分３５Ａとカバープレート５の内面側の内壁面５Ａとの段差Ｈ２を第２の境界面４５によってなだらかに繋ぐように設けている。この第２の境界面４５の形状としては、突設部３５の頂部からカバープレート５の内面側の内壁面５Ａへとなだらかに繋がるように凹面形状に形成されている。
【００２７】
また、前記カバープレート５の内面側に向かって突出する突設部３５の突出端面部分３５Ａの表面部分には、液晶表示パネル３からなる指示計器Ｄの表示領域にほぼ合わせて凸レンズ３５Ｂとして膨出形成し、この凸レンズ３５Ｂによって指示計器Ｄの表示状態を部分的に拡大表示することができるように構成している。（図１および図４、図５を参照）
【００２８】
また、カバープレート５の内面側には、結露による曇り現象を防止するための防曇剤をカバープレート５の内面側に塗布などの手段によって防曇被膜Ｆを施すようにしている。
【００２９】
上記構成からなる計器装置においては、カバープレート５の内面側に防曇剤を塗布する場合、計器ケース１の前面側に配設されるカバープレート５に設けられた操作孔部７箇所には、カバープレート５の内面側に向けて肉厚寸法となるように環状の周壁部からなる突設部１５が設けられていたり、液晶表示パネル３からなる指示計器Ｄの表示領域に対応するカバープレート５の内面側には、指示計器Ｄの表示領域の形態にほぼ合わせて指示計器Ｄ側へと突出する突設部３５が設けられていたとしても、従来問題となっていた突設部による段差にて隅部（エッジ部分）に防曇剤が溜まりやすく拭き取りに手間を要し、場合によっては隅部箇所に溜まった防曇剤の拭き取りが部分的にできず塗布ムラが生じてしまうことなどの問題を解消することができる。
【００３０】
すなわちカバープレート５に設けられた操作孔部７箇所の内面側においては、前記環状の周壁部からなる突設部１５の突出端面部分１５Ａとカバープレート５の内面側の内壁面５Ａとの段差Ｈ１を傾斜面からなる第１の境界面２５によってなだらかに繋ぐように設けているため、カバープレート５の内面側の段差による急激な立ち上がり壁面がなくなり、防曇剤からなる防曇被膜Ｆをほぼ一定の膜厚に塗布して塗り込むことができ、これにより塗布ムラを極力抑えることができるものであり、しかも防曇剤の塗布作業時間を従来に比べて短縮することができるという効果もある。
【００３１】
これとほぼ同様にして、液晶表示パネル３からなる指示計器Ｄの表示領域に対応するカバープレート５の内面側においても、前記突設部３５の突出端面部分３５Ａとカバープレート５の内面側の内壁面５Ａとの段差Ｈ２を凹面形状からなる第２の境界面４５によってなだらかに繋ぐように設けているため、カバープレート５の内面側の段差による急激な立ち上がり壁面がなくなり、防曇剤からなる防曇被膜Ｆをほぼ一定の膜厚に塗布して塗り込むことができ、これにより塗布ムラも抑えることができ、防曇剤の塗布作業時間をも従来に比べて短縮することができるという効果がある。
【００３２】
また、塗布ムラを解消することができるために、従来問題となっていた部分的に厚く塗られた箇所が白濁化し、計器装置の前面側からカバープレート５を覗き込むと見栄えが悪くなってしまうという問題も解消することができる。
【００３３】
なお、本発明は上述した実施例に限定されるものでなく本発明の要旨の範囲において種々の変形実施が可能である。たとえば、前述した実施形態においては、カバープレート５の内面側に設けられた突設部１５，３５とカバープレート５の内面側との段差Ｈ１，Ｈ２をなだらかに繋ぐように設けられた境界面２５，４５として、傾斜面からなる境界面２５と凹面形状からなる境界面４５とを例にして説明したが、凹面形状と傾斜面との組み合わせ形状であっても良いものであり、また凹面形状の曲率を大きくしたり、傾斜面の角度を任意の鈍角に設定することによって同様な効果を得ることができるものである。また、突設部として、カバープレートの側面部分の周壁による突設部箇所とカバープレートの内面側の内壁面との繋ぎ箇所においても、なだらかに繋ぐように境界面を形成することにより、前述した実施形態と同様にして防曇剤による防曇被膜Ｆを均一的な膜厚にて塗布することができる。
【００３４】
また実施形態にあっては、カバープレートの形状としては、前面側が平坦面に形成され、側面部分が垂れ下がり形状となっていたが、カバープレートの表面側（前面側）に段差部があり、その段差部の内面側箇所になだらかに繋ぐように設けられた境界面を形成しても同様の効果を得ることができるものである。また計器装置の計器ケース内部に収納される液晶表示による指示計器を例にして説明したが、アナログ式の指針指示計器でも同様であり、各種の警告を表示する指示計器などにおいても適用可能である。
【図面の簡単な説明】
【００３５】
【図１】図１は、本発明の第１の実施形態である計器装置を示す断面図。
【図２】図２は、図１の計器装置における操作機構の要部を示す拡大断面図。
【図３】図３（Ａ）（Ｂ）は、図２のカバープレートにおいて防曇剤の塗布前と防曇剤の塗布後の要部を示した拡大断面図。
【図４】図４は、図1における指示計器側であるカバープレートと指示計器との要部を主体に示す拡大断面図。
【図５】図５（Ａ）（Ｂ）は、図４のカバープレートにおいて防曇剤の塗布前と防曇剤の塗布後の要部を示した拡大断面図。
【図６】図６は、従来の計器装置を示す断面図。
【図７】図７は、図６の要部を示す拡大断面図。
【図８】図８（Ａ）（Ｂ）は、図７のカバープレートにおいて防曇剤の塗布前と防曇剤の塗布後の要部を示した拡大断面図。
【符号の説明】
【００３６】
１  計器ケース
２  回路基板
３  液晶表示パネル
４  見返し板
４Ａ  表示窓枠
５  カバープレート
５Ａ  内壁面
６  押しボタンスイッチ部材
７  操作孔部
８  操作部材
１５  突設部
１５Ａ  突出端面部分
２５  第１の境界面（凹面形状）
３５  突設部
３５Ａ  突出端面部分
３５Ｂ  凸レン
４５  第２の境界面（傾斜面）
Ｄ  指示計器
Ｆ  防曇被膜
Ｈ１，Ｈ２  段差
【図１】
2008116379.tif 000003
【図２】
2008116379.tif 000004
【図３】
2008116379.tif 000005
【図４】
2008116379.tif 000006
【図５】
2008116379.tif 000007
【図６】
2008116379.tif 000008
【図７】
2008116379.tif 000009
【図８】
2008116379.tif 000010